(57)【要約】【課題】複数のエアー回路用の複数のマフラーを一体とすることにより、所要スペースを削減した量産向きのエアー回路用マフラーを提供すること、及びこのエアー回路用マフラーを用いることによりコンパクト化したエアーマッサージ機を提供すること。【解決手段】一端が開放され、他端が閉鎖された複数の中空容器を、開口端部と閉鎖端部とを嵌め合う形状に形成し、開口端部と閉鎖端部とを嵌め合わせて複数のマフラーを連結した状態にする。また、中空容器にはエアー入口部、出口部を形成する。また、エアーマッサージ機の給排気回路における複数のエアー回路のマフラーとしてこのエアー回路用マフラーを用いる。【選択図】        図２
2004197717.tif 000002
【特許請求の範囲】
【請求項１】
一端が開口端部として形成され、この一端に対向する他端が壁面を有する閉鎖端部として形成された複数の中空容器と、この中空容器の開口端部を密封する１個の蓋とを備え、これら各中空容器は、閉鎖端部と開口端部との間に形成されている外周壁部にエアー入口部及びエアー出口部が設けられるとともに、閉鎖端部と開口端部とが嵌合結合し得る形状に形成されてなり、更に、これら複数の中空容器は、閉鎖端部と開口端部とが嵌合されて結合されることにより、複数のエアー回路用の複数のマフラーが一体的に形成されてなることを特徴とするエアー回路用マフラー。
【請求項２】
前記複数の中空容器は、閉鎖端部の外周部に外方へ突出した係止用爪部が形成され、開口端部に係止用爪部を弾性的に嵌め込ませる係止用孔部が形成され、この開口端部と閉鎖端部との結合面部にＯリングを介在させ、前記係止用爪部を前記係止用孔部に嵌め込むことにより密封結合されてなることを特徴とする請求項１記載のエアー回路用マフラー。
【請求項３】
前記複数の中空容器は、閉鎖端部が開口端部に嵌め込まれ誘導加熱により結合されてなることを特徴とする請求項１記載のエアー回路用マフラー。
【請求項４】
被施療部を押圧するための複数のエアーバッグを給排気するための給排気回路を備えたエアーマッサージ装置において、給排気回路における複数のエアー回路に複数のマフラーを用い、この複数のマフラーが請求項１〜３の何れか１項記載の一体化されたエアー回路用マフラーに形成されて成ることを特徴とするエアーマッサージ機。
【発明の詳細な説明】
【０００１】
【発明の属する技術分野】
本発明は、エアー回路用マフラーに関し、特に、複数のエアー回路に用いる複数のマフラーを一体化したエアー回路用マフラー及びこれを用いたエアーマッサージ機に関する。
【０００２】
【従来の技術】
従来のエアー回路では、１個のエアー回路に１個のマフラーが使用されていた。このようなマフラーは例えば特許文献１に記載されたエアーマッサージ機に見られる。すなわち、このエアーマッサージ機では、エアーコンプレッサーから分配器に至る１個の送風回路の途中に膨張空所を有する１個の消音器（マフラー）が用いられている。なお、このエアーマッサージ機に用いられているマフラーは、中空容器の対向する両端部にエアーの出入口部が設けられていた。
【０００３】
【特許文献１】
特開平８−８９５３９号公報
【特許文献２】
特開平８−７４５５８号公報
【特許文献３】
特開２０００−１３０１４７号公報
【０００４】
【発明が解決しようとする課題】
しかしながら、特許文献１に記載されているような、エアーバッグを複数備えたエアーマッサージ機の場合では、マフラーを複数のエアー回路それぞれに同一のマフラーを使用することが考えられる（後述の本発明の実施の形態を参照）。ところが、従来のマフラーのように１個のエアー回路に１個のマフラーを使用するものでは、取付スペースが大きくなり装置が大型化するという問題があった。
【０００５】
本発明はこのような従来技術の問題点に着目してなされたものである。その目的とするところは、複数のエアー回路用の複数のマフラーを一体とすることにより、所要スペースを削減した量産向きのエアー回路用マフラーを提供すること、及びこのエアー回路用マフラーを用いることによりコンパクト化したエアーマッサージ機を提供することにある。
【０００６】
【課題を解決するための手段】
上記目的を達成するために、本発明に係るエアー回路用マフラーは、一端が開口端部として形成され、この一端に対向する他端が壁面を有する閉鎖端部として形成された複数の中空容器と、この中空容器の開口端部を密封する１個の蓋とを備え、これら各中空容器は、閉鎖端部と開口端部との間に形成されている外周壁部にエアー入口部及びエアー出口部が設けられるとともに、閉鎖端部と開口端部とが嵌合結合し得る形状に形成されてなり、更に、これら複数の中空容器は、閉鎖端部と開口端部とが嵌合されて結合されることにより、複数のエアー回路用の複数のマフラーが一体的に形成されてなることを特徴とする。
【０００７】
このエアー回路用マフラーによれば、複数のエアー回路それぞれに対しマフラーを用いる場合に、それぞれ独立型の複数のマフラーを用いるのではなく、複数のマフラーが一体型に形成されたマフラーを用いるので、マフラーの収納スペースを節約することができる。また、このエアー回路用マフラーでは、構成部材である中空容器の数を変更することによりエアー回路数の変更に対応することができるので、量産に適している。
【０００８】
また、前記複数の中空容器は、閉鎖端部の外周部に外方へ突出した係止用爪部が形成され、開口端部に係止用爪部を弾性的に嵌め込ませる係止用孔部が形成され、この開口端部と閉鎖端部との結合面部にＯリングを介在させ、前記係止用爪部を前記係止用孔部に嵌め込むことにより密封結合されてなるように構成してもよい。
このように構成すれば、組み立て式で複数のマフラーを一体に形成することができ、一体に形成されるマフラーの個数を容易に変更することができる。
【０００９】
また、前記複数の中空容器は、閉鎖端部が開口端部に嵌め込まれ誘導加熱により結合されてなるように構成してもよい。
このように構成すれば、結合強度の大きい複数のマフラーを一体化したものを製作することができる。
【００１０】
また、本発明に係るエアーマッサージ機は、被施療部を押圧するための複数のエアーバッグを給排気するための給排気回路を備えたエアーマッサージ装置において、給排気回路における複数のエアー回路に複数のマフラーを用い、この複数のマフラーが上記構成の一体化されたエアー回路用マフラーに形成されて成ることを特徴とする。
このように構成したエアーマッサージ機によれば、マフラーの所要スペースを低減することができ、コンパクトなエアーマッサージ機を製作することが容易になる。
【００１１】
【発明の実施の形態】
以下、この発明をエアーマッサージ機に具体化した実施の形態を図１〜図１１に基づいて説明する。なお、図１は本発明の実施の形態１に係るエアーマッサージ機の概略構成図であり、図２は本発明の実施の形態１に係るエアー回路用マフラーの平面図であって、結合部分を一部断面で示したものであり、図３は同エアー回路用マフラーの正面図であり、図４は同エアー回路用マフラーの図２における左側面図（閉鎖端部側側面図）であり、図５は図1における同エアー回路用マフラーの結合部の拡大断面図であり、図６は同エアー回路用マフラーの中空容器の平面図であり、図７は同中空容器の図６における右側面図（開口端部側側面図）であり、図８は同中空容器の図６における左側面図（閉鎖端部側側面図）であり、図９は同エアー回路用マフラーの蓋平面図であり、図１０は同蓋の図９における右側面図であり、図１１は同蓋の図９における左側面図である。
【００１２】
本実施の形態に係るエアーマッサージ機は、図１に示すように、このエアーマッサージ機本体としてのマット１、マット１上面に配設された３個のエアーバッグ２、このエアーバッグ２にエアーを給気し、又はこのエアーバッグ２のエアーを排気する給排気回路３などから構成されている。
【００１３】
マット１は、身体支持台として平面視長方形状でかつ肉厚に形成されている。また、マット１は、例えば通気性を有する発泡ウレタンフォームなどからなる軟質部材により構成されている。
エアーバッグ２は、マット１上において、使用者が仰向けに横たわった場合に、使用者の脚部をマッサージできるように配設されている。
【００１４】
給排気回路３は、適宜の運転モードでエアーバッグ２にエアーを給気し、又はエアーバッグ２のエアーを排気するものである。給排気回路３は、エアーポンプ１０、エアーポンプ１０から吐出されたエアーを供給する主給気管１１、主給気管１１から分岐された３本の分岐給気管１２、この分岐給気管１２に接続された給排気用電磁弁（この場合三方電磁弁）１３、三方電磁弁１３とエアーバッグ２とを接続する入口配管１５、この入口配管中に接続されたマフラー２０Ａなどから構成されている。なお、３個のマフラー２０Ａは後述のような一体型のエアー回路用マフラー２０として構成されている。
【００１５】
三方電磁弁１３は、分岐給気管１２と入口配管１５とを連通する導通位置（実線切換位置）Ａと、エアーバッグ２からの排気を入口配管１５を介して排気可能とするように入口配管１５を外気に開放する開放位置（点線切換位置）Ｂとの間で切換可能とされている。したがって、三方電磁弁１３は、導通位置Ａに切り換えられたときに、分岐給気管１２から入口配管１５及びマフラー２０Ａを介してエアーバッグ２にエアーを供給することができ、開放位置Ｂに切り換えられたときに、エアーバッグ２から入口配管１５及びマフラー２０Ａを介してエアーを外気に導くことができる。
【００１６】
また、入口配管１５におけるエアー回路用マフラー２０を構成するマフラー２０Ａとエアーバッグ２との間の部分は、エアーバッグ２側に行くに従い配管径が大となるように形成されている。
【００１７】
エアー回路用マフラー２０は、３個の中空容器３０と、１個の蓋４０とからなり、各中空容器３０には取付脚４５が設けられている。
中空容器３０は、円筒状の中空容器であって、一端が開口端部３１として形成され、この開口端部３１に対向する他端が壁面３２を有する閉鎖端部３３として形成されている。開口端部３１は段状に直径が大きくされた形状を成している。この直径が大きくされた部分（拡径部）の内径寸法は、閉鎖端部３３が嵌り込む程度の寸法とされている。また、閉鎖端部３３の外周には、突出した係止用爪部３４が４個形成されている。一方、開口端部３１には、係止用爪部３４を弾性的に嵌め込ませるように形成した４個の係止用孔部３５が形成されている。
【００１８】
このように、中空容器３０は、開口端部３１に他の中空容器３０の閉鎖端部３３を嵌め込んで結合できるように形成されている。また、この結合を行う場合には、開口端部３１の段状内周側端面と閉鎖端部３３の端面との間にＯリング３９を介在させて結合部を機密に保持できるように形成されている（図５参照）。
また、中空容器３０には、閉鎖端部３３と開口端部３１との間に形成されている外周壁部３６にエアー入口部３７及びエアー出口部３８が形成されている。なお、エアー入口部３７及びエアー出口部３８は、両者が対向する関係になる位置に設けられている。なお、両者は中空容器３０の軸方向に距離隔てて位置しており、エアー入口部３７は閉鎖端部３３よりの位置に、また、エアー出口部３８は開口端部３１よりに設けられている。
【００１９】
蓋４０は、中空容器３０の開口端部３１を密封するものであって、中空容器３０の閉鎖端部３３と同様の形状に形成された嵌合突出部４１（図９参照）が開口端部３１に嵌り込むように形成されている。また、この嵌り込む嵌合突出部４１の外周部には係止用爪部３４と同様の係止用爪部４２が４個形成されている。
また、取付脚４５は、適宜のフレーム４８にエアー回路用マフラー２０を取り付けるものである。このために、取付脚４５にはボルト穴４７（図６参照）が設けられ、ボルト４６によりフレーム４８にボルト止めされている。
【００２０】
上記のように構成されたエアーマッサージ機においては、エアーバッグ２を膨張させるときには、三方電磁弁１３を導通位置Ａとすることにより行われる。これにより、エアーポンプ１０から吐出された圧縮エアーは、主給気管１１、分岐給気管１２、三方電磁弁１３、入口配管１５、膨張型マフラー２０Ａを介してエアーバッグ２へ供給される。この場合において、エアーポンプ１０が駆動されることによりエアーポンプ１０で騒音が発生する。また、給排気切換用電磁弁１３において圧縮エアー通過による高周波のエアー通過音が発生するが、これら騒音やエアー通過音は膨張型マフラーとして構成されたマフラー２０Ａにより消音される。
【００２１】
また、各膨張型マフラー２０Ａを通過した後のエアーは、エアーバッグ２側に行くに従い配管径が大となるように形成された入口配管１５を通してエアーバッグに流入するので、エアーバッグ２の流入口でのエアーの流速が減少され、エアーバッグ２入口でのエアー通過音が低下する。
【００２２】
また、実施の形態１に係るエアー回路用マフラー２０は、前述のように構成されているので、複数のエアー回路に対し独立型の複数のマフラーを用いる代わりに、複数のエアー回路に対応した個数のマフラー２０Ａを一体化したもの１個を用いることで済ませることができる。したがって、マフラーに要するスペースを低減することができる。
具体的には、実施の形態１のエアーマッサージ機の場合、３個のエアーバッグ２の各入口配管１５に取り付けるマフラー２０Ａを１個のエアー回路用マフラー２０で済ませることができる。したがって、このように形成した場合には、マット１の一端部に図１に記載のように機器室１ａを設け、この機器室１ａ内にエアー回路用マフラー２０及び三方電磁弁１３などを収納することが可能となる。
また、上記のように構成したエアー回路用マフラー２０は、任意の個数のマフラー２０Ａを一体化する場合に中空容器３０を共通部品として形成することができるので、量産に適している。
【００２３】
（実施の形態２）
実施の形態２に係るエアーマッサージ機は、エアー回路用マフラーの構成を除いては同一である。また、エアー回路用マフラーは実施の形態１における中空容器の結合方法を変更したものである。すなわち、実施の形態１のエアー回路用マフラーでは、中空容器の結合を係止用爪部を係止用孔部に弾性的に嵌め込む方法としていたが、この実施の形態２のものでは、中空容器を誘導加熱に結合している。以下その内容を図１２〜図２１に基づき説明する。なお、実施の形態２において実施の形態１と共通する符号を付したものは実施の形態１におけるものと同等のものである。
【００２４】
図１２〜図２１は、次のような図面である。すなわち、図１２は本発明の実施の形態２に係るエアー回路用マフラーの平面図であって、結合部分を一部断面で示したものであり、図１３は、図１２における同エアー回路用マフラーの正面図であり、図１４は同エアー回路用マフラーの図１２における左側面図（閉鎖端部側側面図）であり、図１５は同エアー回路用マフラーの結合部の図１２における拡大断面図であり、図１６は同エアー回路用マフラーの中空容器の平面図であり、図１７は同中空容器の図１６における右側面図（開口端部側側面図）であり、図１８は同中空容器の図１６における左側面図（閉鎖端部側側面図）であり、図１９は同エアー回路用マフラーの蓋平面図であり、図２０は同蓋の図１９における右側面図であり、図２１は同蓋の図１９における左側面図である。
【００２５】
実施の形態２に係るエアー回路用マフラー２０は、実施の形態１の場合と同様の構成をしている。すなわち、３個の中空容器５０と、１個の蓋６０とからなり、各中空容器５０には取付脚６５が設けられている。
また、中空容器５０も実施の形態１の場合と同様の形状をしており、一端が開口端部５１であり、この開口端部５１に対向する他端が壁面５２を有する閉鎖端部５３として形成されている。また、開口端部５１は、実施の形態１の場合と同様に段状に直径が大きくされた形成された形状を成しており、この直径が大きくされた部分（拡径部）の内径寸法が閉鎖端部５３を嵌入させることができる程度の寸法とされている。なお、この実施の形態２では実施の形態１の場合のような係止用孔部は形成されていない。また、閉鎖端部５３の外周にも係止用爪部が形成されていない。
【００２６】
また、実施の形態２に係るエアー回路用マフラー２０も、実施の形態１の場合と同様に、一の中空容器５０の開口端部５１に他の中空容器５０の閉鎖端部５３を嵌め込んで結合されるが、その結合は誘導加熱により行われる。すなわち、実施の形態２においては、開口端部５１の段状内周側端面と閉鎖端部５３の端面との間に鉄などの電気抵抗の高い材料から成る金属リング５９を挟んだ状態で電磁誘導によりこの金属リング５９を加熱する。これにより、金属リング５９が溶解し、一の中空容器５０の開口端部５１と他の中空容器５０の閉鎖端部５３との結合部が溶着される。
【００２７】
なお、実施の形態１の場合と同様に、中空容器５０には、閉鎖端部５３と開口端部５１との間に形成される外周壁部５６にエアー入口部５７及びエアー出口部５８が設けられている。
また、蓋６０は、中空容器５０の閉鎖端部５３と同様の形状に形成された嵌合突出部６１が開口端部５１に嵌り込むように形成されている。なお、蓋６０と中空容器５０の開口端部５１との結合も上記と同様の誘導加熱方式により結合される。
また、中空容器５０にはボルト穴６７を有する取付脚６５が設けられている。そして、この実施の形態２に係るエアー回路用マフラー２０も実施の形態１の場合と同様に、このボルト穴６７からボルト６６を差し込んで、フレーム６８にボルト止めされている。
【００２８】
実施の形態２に係るエアー回路用マフラー２０は、以上のように構成されているので、実施の形態１と同様に、複数のエアー回路に対し独立型の複数のマフラーを用いる代わりに、複数のエアー回路に対応した個数のマフラー２０Ａを一体化した１個のエアー回路用マフラーを用いることで済ませることができる。また、任意の個数のマフラーを一体化する場合に中空容器５０を共通部品としているので、量産に適している。また、本実施の形態２の場合には、中空容器５０間が誘導加熱により結合されているので、結合力を強固にすることができる。
【００２９】
なお、上記各実施の形態において、エアーバッグ２を３個使用する例を示したが、この個数に限定されるものではない。
また、エアーバッグ２は、脚部をマッサージするものとして記載したが他の被施療部をマッサージするものとしてもよい。
また、本実施の形態においては、マット１上にエアーバッグ２を配置する所謂マット式エアーマッサージ機について例示したが、これに限定されるものではなく椅子式等の他の形式のエアーマッサージ機に応用できることは言うまでもない。
【００３０】
【発明の効果】
この発明に係るエアー回路用マフラーによれば、複数のエアー回路に対し独立型の複数のマフラーを用いるのではなく、一体型に形成された１個のマフラーを用いるので、マフラーの収納スペースを低減することができる。また、このエアー回路用マフラーでは、構成部材である中空容器の数を変更することによりエアー回路数の変更に対応することができるので、量産に好適である。
また、このようなエアー回路用マフラーを用いたエアーマッサージ機では、マフラーの所要スペースを低減することができ、コンパクトなエアーマッサージ機を製作することが容易になる。
【図面の簡単な説明】
【図１】本発明の実施の形態１に係るエアーマッサージ機の概略構成図である。
【図２】本発明の実施の形態１に係るエアー回路用マフラーの平面図であって、結合部分を一部断面で示したものである。
【図３】同エアー回路用マフラーの正面図である。
【図４】同エアー回路用マフラーの図２における左側面図（閉鎖端部側側面図）である。
【図５】同エアー回路用マフラーの結合部の拡大断面図である。
【図６】同エアー回路用マフラーの中空容器の平面図である。
【図７】同中空容器の図６における右側面図（開口端部側側面図）である。
【図８】同中空容器の図６における左側面図（閉鎖端部側側面図）である。
【図９】同エアー回路用マフラーの蓋平面図である。
【図１０】同蓋の図９における右側面図である。
【図１１】同蓋の図９における左側面図である。
【図１２】本発明の実施の形態２に係るエアー回路用マフラーの平面図であって、結合部分を一部断面で示したものである。
【図１３】同エアー回路用マフラーの正面図である。
【図１４】同エアー回路用マフラーの図１２における左側面図（閉鎖端部側側面図）である。
【図１５】同エアー回路用マフラーの結合部の図１２における拡大断面図である。
【図１６】同エアー回路用マフラーの中空容器の平面図である。
【図１７】同中空容器の図１６における右側面図（開口端部側側面図）である。
【図１８】同中空容器の図１６における左側面図（閉鎖端部側側面図）である。
【図１９】同エアー回路用マフラーの蓋平面図である。
【図２０】同蓋の図１９における右側面図である。
【図２１】同蓋の図１９における左側面図である。
【符号の説明】
２     エアーバッグ
３     給排気回路
２０   エアー回路用マフラー
２０Ａ （各回路用の）マフラー
３０   中空容器
３１   開口端部
３３   閉鎖端部
３４   係止用爪部
３５   係止用孔部
３６   外周壁部
３７   エアー入口部
３８   エアー出口部
３９   Ｏリング
４０   蓋
４１   嵌合突出部
４２   係止用爪部
５０   中空容器
５１   開口端部
５３   閉鎖端部
５６   外周壁部
５７   エアー入口部
５８   エアー出口部
５９   金属リング
６０   蓋
６１   嵌合突出部
【図１】
2004197717.tif 000003
【図２】
2004197717.tif 000004
【図３】
2004197717.tif 000005
【図４】
2004197717.tif 000006
【図５】
2004197717.tif 000007
【図６】
2004197717.tif 000008
【図７】
2004197717.tif 000009
【図８】
2004197717.tif 000010
【図９】
2004197717.tif 000011
【図１０】
2004197717.tif 000012
【図１１】
2004197717.tif 000013
【図１２】
2004197717.tif 000014
【図１３】
2004197717.tif 000015
【図１４】
2004197717.tif 000016
【図１５】
2004197717.tif 000017
【図１６】
2004197717.tif 000018
【図１７】
2004197717.tif 000019
【図１８】
2004197717.tif 000020
【図１９】
2004197717.tif 000021
【図２０】
2004197717.tif 000022
【図２１】
2004197717.tif 000023